(57)【要約】【課題】建築物の各施工工程における杭穴や杭などの品質点検対象が施工品質点検項目の対象であることをも含めた施工品質点検を簡便に行えると共に、施工品質を向上させる建築物の施工品質管理システムを提供すること。【解決手段】  品質管理サーバが、当該サーバに予め記憶されている施工現場の現場情報、施工に使用される杭及び杭穴の仕様情報を取得して、施工品質を点検させるための点検項目データを生成し、現場担当者端末から、前記点検項目データに係る項目ごとの前記杭及び杭穴が撮像された撮像データと、前記点検項目データに係る点検項目を確認したことを示す判定データとを取得し、施工を行った掘削管理装置からの施工データを取得して、前記取得した撮像データ、判定データ及び施工データに基づいて、各施工工程における品質管理に関する報告書データを作成することを特徴とする施工品質管理システムである。【選択図】図６
2015118435.tif 000002
【特許請求の範囲】
【請求項１】
施工現場の施工品質を、通信ネットワークを介して相互に通信可能に接続されている施工品質管理用のサーバ、施工を請け負う施工業者端末、及び施工を行う現場担当者端末とで管理する施工品質管理システムであって、
前記サーバは、前記サーバに予め記憶されている施工現場の現場情報、施工に使用される杭及び杭穴の仕様情報を取得して、施工品質を点検させるための点検項目データを生成する点検項目データ生成手段を備え、
前記現場担当者端末から、前記点検項目データに係る項目ごとの前記杭及び杭穴が撮像された撮像データと、
前記点検項目データに係る点検項目を確認したことを示す判定データとを取得し、
施工を行った掘削管理装置からの施工データを取得して、
前記取得した撮像データ、判定データ及び施工データに基づいて、各施工工程における品質管理に関する報告書データを作成する報告書作成手段を備える
ことを特徴とする施工品質管理システム。
【請求項２】
現場情報には、
杭の製造時における製造データ、
前記杭の施工現場への出荷時における出荷データ、
前記杭の施工現場への入荷時における入荷データ
が付加されており、
杭の仕様情報には、
杭の製造時における製造データ、
前記杭の施工現場への出荷時における出荷データ、
前記杭の施工現場への入荷時における入荷データ、
前記杭を杭穴に埋設する施工時における前記杭の施工データと点検項目確認データ
が付加されており、
杭穴の仕様情報には、
前記杭穴を構築する施工時における前記杭穴の施工データと点検項目確認データ
が付加されている
ことを特徴とする請求項１記載の施工品質管理システム。
【発明の詳細な説明】
【技術分野】
【０００１】
この発明は、建築現場における建築物の施工品質管理システムに関し、特に、既製コンクリート杭の埋め込み工法による建築物の施工品質管理システムに関する。
【背景技術】
【０００２】
建築物の施工品質の検査は通常、施工管理表等の点検項目に沿って行われる。具体的には、各点検項目についてそれぞれ施工品質の合否判定基準があり、施工前もしくは施工後に当該基準を満たしているか否かを検査担当者もしくは品質管理者等が確認することで行われている。そして、各点検項目が確認された施工品質の検査結果を事業主等に報告されることになる。
【０００３】
ここで、建築物の施工品質に限らず、前記点検項目は様々な分野において多種多様で膨大な数になることが多く、上述したような施工現場からの施工品質の検査結果の報告だけでは、検査結果の信頼性が担保されないおそれがある。
【０００４】
特許文献１には、施工品質の検査結果の信頼性を高めるため、建設物件の各工程の検証用の写真を撮影し、撮影した写真データをホストコンピュータに送信して保管し、当該検証用写真データを所定の書式に編集し、この編集済み施工検証写真を施工検証写真台帳として発注者の閲覧に供する発明が提案されている。
【０００５】
特許文献２にも、施工品質検査を行うにあたり、各工程の検証用写真を撮影し、当該撮影した写真データをデータセンターに登録し、所定の品質検査報告書を作成し、この報告書を事業主や物件購入者に共有させる発明が提案されている。
【先行技術文献】
【特許文献】
【０００６】
【特許文献１】特開２００１−２９７１４４号公報
【特許文献２】特開２００７−２７９９９３号公報
【発明の概要】
【発明が解決しようとする課題】
【０００７】
上述した特許文献１、２記載の発明において、撮影した写真データが点検項目に係る対象であるかどうかを確認できるような詳細な記載はなされていない。
【０００８】
例えば、杭穴にコンクリート杭を埋設する工程を検査する場合において、当該コンクリート杭が本当に前記杭穴に埋設されるものであるかどうかを確認することができるような具体的な提案がなされていない。したがって、これらの検査結果も含めた高品質な施工品質管理システムが望まれている。
【０００９】
そこで、この発明は、建築物の各施工工程における杭穴や杭などの品質点検対象が施工品質点検項目の対象であることをも含めた施工品質点検を簡便に行えると共に、施工品質を向上させる建築物の施工品質管理システムを提供することを目的とする。
【課題を解決するための手段】
【００１０】
上記課題を解決するため、以下の発明を提案する。
【００１１】
請求項１の発明は、
施工現場の施工品質を、通信ネットワークを介して相互に通信可能に接続されている施工品質管理用のサーバ、施工を請け負う施工業者端末、及び施工を行う現場担当者端末とで管理する施工品質管理システムであって、
前記サーバは、前記サーバに予め記憶されている施工現場の現場情報、施工に使用される杭及び杭穴の仕様情報を取得して、施工品質を点検させるための点検項目データを生成する点検項目データ生成手段を備え、
前記現場担当者端末から、前記点検項目データに係る項目ごとの前記杭及び杭穴が撮像された撮像データと、
前記点検項目データに係る点検項目を確認したことを示す判定データとを取得し、
施工を行った掘削管理装置からの施工データを取得して、
前記取得した撮像データ、判定データ及び施工データに基づいて、各施工工程における品質管理に関する報告書データを作成する報告書作成手段を備える
ことを特徴とする施工品質管理システムである。
【００１２】
請求項２の発明は、
現場情報には、
杭の製造時における製造データ、
前記杭の施工現場への出荷時における出荷データ、
前記杭の施工現場への入荷時における入荷データ
が付加されており、
杭の仕様情報には、
杭の製造時における製造データ、
前記杭の施工現場への出荷時における出荷データ、
前記杭の施工現場への入荷時における入荷データ、
前記杭を杭穴に埋設する施工時における前記杭の施工データと点検項目確認データ
が付加されており、
杭穴の仕様情報には、
前記杭穴を構築する施工時における前記杭穴の施工データと点検項目確認データ
が付加されている
ことを特徴とする請求項１記載の施工品質管理システムである。
【発明の効果】
【００１３】
この発明によれば、建築物の各施工工程における杭穴や杭などの品質点検対象が施工品質点検項目の対象であることをも含めた施工品質点検を簡便に行えると共に、施工品質を向上させる建築物の施工品質管理システムを提供することができる。
【図面の簡単な説明】
【００１４】
【図１】本発明の施工品質管理システムの構成の一例を表す概念図である。
【図２】サーバの記憶手段に記憶されている各種データベースの構成の一例を表す図である。
【図３】本実施形態に係る施工品質管理システムの管理画面の一例を表す図である。
【図４】図３図示の管理画面のうち、施工現場への現場担当者端末の貸出しを管理する画面の一例を表す図である。
【図５】本実施形態に係る施工品質管理システムを、施行者が施工現場で現場担当者端末を用いて利用する状態を表す図であって、（ａ）認証画面の一例を表す図、（ｂ）施工現場を撮像する設定画面の一例を表す図、（ｃ）撮像した点検対象の一例を表す図、（ｄ）撮像した点検対象の他の例を表す図である。
【図６】施工業者端末に表示される撮像された点検対象の一覧画面の一例を表す図である。
【図７】本実施形態に係る施工品質管理システムによる施工品質管理のフローチャートを表す図である。
【図８】施工現場の杭穴の配置の概念図である。
【発明を実施するための形態】
【００１５】
以下、本発明の実施形態の一例を、添付図面を参照して説明する。
【００１６】
１．システム全体の構成
【００１７】
図１は、本発明の施工品質管理システムの構成の一例を表す図である。この実施形態では、掘削した杭穴内に支持杭であるコンクリート製の杭を埋設する施工に適用した例である。なお、本発明は、前記コンクリート製の杭に限られず、鋼管製の杭等種々の杭を杭穴に埋設する施工に適用が可能である。また、他の種類の施工にも適用が可能である。
【００１８】
本発明は、施工現場の施工品質を、通信ネットワークを介して相互に通信可能に接続されている施工品質管理用のサーバ、施工を請け負う施工業者端末、及び施工を行う現場担当者端末とで管理する施工品質管理システムである。
【００１９】
施工品質管理システム１０は、建築物の施工工程の施工品質を管理するアプリケーションプログラムを備える施工品質管理用のサーバ２０と、建築物の工事を請け負う施工業者が使用するパーソナルコンピュータなどの施工業者端末装置３０と、施工業者から施工現場の管理を任された現場担当者が使用するパーソナルコンピュータ、タブレット端末、スマートフォンなどの現場担当者端末４０とが、インターネット通信網や無線通信規格で定められている無線通信網等の通信ネットワーク５０を介して相互に通信可能に接続されて構成される。
【００２０】
２．施工業者端末３０の構成
【００２１】
施工業者端末３０は、建築物の工事を請け負う施工業者が使用するパーソナルコンピュータなどの端末である。施工業者端末３０には、建築現場に設けられている杭穴に埋設するコンクリート杭など建築物全般の設計時に使用される端末、設計された前記杭の製造時に使用される端末及び製造された前記杭を施工現場に出荷する際に使用される端末、施工現場で施工される際（搬入時、施工時、施行終了時）に使用される端末等、様々な工程で使用される端末が含まれている。
【００２２】
施工業者端末３０は、通信ネットワーク５０を介してサーバ２０及び現場担当者端末４０との間で情報の送受信を行う情報送受信手段３２を備えている。
【００２３】
また、施工業者端末３０は、液晶ディスプレイ等、情報の表示装置である表示手段３３と、キーボードやマウス、タッチパネル等、情報の入力装置である入力手段３４、情報送受信手段３２でサーバ２０から取得した各種情報をハードコピー等で出力する出力手段３５とを備えている。
【００２４】
これらの各手段によって行われる情報通信が、内蔵メモリ等の記憶手段３６、ＣＰＵを含む制御手段３１とによって制御される。
【００２５】
３．現場担当者端末４０の構成
【００２６】
現場担当者端末４０は、通信ネットワーク５０を介してサーバ２０、施工業者端末３０との間で情報の送受信を行う情報送受信手段４２を備えている。
【００２７】
また、現場担当者端末４０は、液晶ディスプレイ等、情報の表示装置である表示手段４３と、タッチパネル等、情報の入力装置である入力手段４４、建築物の品質管理の対象となる杭穴や杭などを撮像する内蔵カメラなどの撮像手段４５とを備えている。
【００２８】
これらの各手段によって行われる情報通信が、内蔵メモリ等の記憶手段４６、ＣＰＵを含む制御手段４１とによって制御される。
【００２９】
４．サーバ２０の構成
【００３０】
サーバ２０は、建築物の施工工程の施工品質を管理するアプリケーションプログラムを備える施工品質管理用のサーバ装置である。
【００３１】
サーバ２０は、通信ネットワーク５０を介して施工業者端末３０、現場担当者端末４０それぞれとの間で情報の送受信を行う情報送受信手段２２を備えている。
【００３２】
サーバ２０は、施工業者端末３０、現場担当者端末４０との間で送受信する情報を記憶する記憶手段２３を備えている。
【００３３】
サーバ２０は、後述する現場情報データベース２３ａ、杭仕様情報データベース２３ｂ、杭穴仕様情報データベース２３ｃそれぞれにアクセスし、これらのデータベースから各種データを取得して、各施工工程で点検される品質項目に関する点検項目データ２３ｆを作成する点検項目データ生成手段２４を備えている。
【００３４】
サーバ２０は、後述する点検項目データ２３ｆ、点検項目確認データ２３ｇ、施工データ２３ｈを取得して、各施工工程における品質管理に関する報告書データを作成する報告書データ生成手段２５を備えている。
【００３５】
これらの各手段によって行われる情報通信が、内蔵メモリ、ＣＰＵを含む制御手段２１によって制御される。
【００３６】
４−（１）記憶手段２３の構成
【００３７】
（Ａ）現場情報データベース
記憶手段２３は、建築物の施工現場の名称、住所、施工拠点、施工年度、当該建築物の施工を任された現場担当者の氏名、所属等の現場情報が記憶されている現場情報データベース２３ａを備えている（図２（ａ））。現場情報、現場情報の変更、修正は、前記コンクリート杭の設計時、製造時、出荷時に施工業者端末３０で適宜入力される情報である。
【００３８】
また、コンクリート杭の製造時に、当該杭の製造データが前記現場情報に付加される。
【００３９】
製造された前記杭の施工現場への出荷時に、当該杭の出荷データが前記現場情報に付加される。
【００４０】
出荷された前記杭の施工現場への入荷時に、当該杭の入荷データが前記現場情報に付加される。
【００４１】
（Ｂ）杭仕様情報データベース
記憶手段２３は、施工現場ごとのコンクリート杭の杭番号、杭径、杭長、種類、継手、補強バンド、コンクリート強度等の杭の仕様情報が記憶されている杭仕様情報データベース２３ｂを備えている（図２（ｂ））。杭の仕様情報は、コンクリート杭の設計時に施工業者端末３０で入力される情報である。
【００４２】
また、コンクリート杭の製造時に、当該杭の製造データが前記杭の仕様情報に付加される。
【００４３】
製造された前記杭の施工現場への出荷時に、当該杭の出荷データが前記杭の仕様情報に付加される。
【００４４】
出荷された前記杭の施工現場への入荷時に、当該杭の入荷データが前記杭の仕様情報に付加される。
【００４５】
入荷された前記杭を杭穴に埋設する施工時に、図示していない掘削管理装置（ジオマスター（登録商標））で入力された場合に、当該杭のデータが含まれる施工データ２３ｈが前記杭の仕様情報に付加される。
【００４６】
前記杭を杭穴に埋設する施工時に、現場担当者端末４０で入力される点検項目確認データ２３ｇが前記杭の仕様情報に付加される。
【００４７】
（Ｃ）杭穴仕様情報データベース
記憶手段２３は、施工現場ごとにコンクリート杭を埋設する杭穴の番号、杭穴径、杭穴深度、拡径部形状等の杭穴の仕様情報が記憶されている杭穴仕様情報データベース２３ｃを備えている（図２（ｃ））。杭穴の仕様情報は、杭穴の設計時に施工業者端末３０で入力される情報である。
【００４８】
また、杭穴を構築する施工時に、前記掘削管理装置で入力された場合に、当該杭穴のデータが含まれる施工データ２３ｈが前記杭穴の仕様情報に付加される。
【００４９】
前記杭を杭穴に埋設する施工時に、現場担当者端末４０で入力される点検項目確認データ２３ｇが前記杭の仕様情報に付加される。
【００５０】
（Ｄ）点検情報データベース
記憶手段２３は、各施工工程で点検される品質項目に関する点検項目データ２３ｆが記憶されている点検情報データベース２３ｄを備えている（図２（ｄ））。
【００５１】
（Ｅ）アプリケーションプログラム
記憶手段２３は、上述の各データベースに係るデータをもとに、各施工工程の施工品質を管理する品質管理機能を実現させるためのプログラムであるアプリケーションプログラム２３ｅを備えている。
【００５２】
（Ｆ）点検項目データ２３ｆ
点検項目データ２３ｆは、図２（ｅ）に示されるように、例えば、各施工現場の杭穴ごとに「杭種、杭径、杭長、品質」というコンクリート杭の仕様情報に関する点検項目に「０１」というコードが割り振られている。また、「最大掘削深度」という杭穴の仕様情報に関する点検項目に「０６」というコードが割り振られている。
【００５３】
これらの点検項目データ２３ｆは、図２（ｅ）に図示していないが、前記現場情報と関連づけられている。
【００５４】
（Ｇ）点検項目確認データ２３ｇ
点検項目確認データ２３ｇは、例えば、前記コードごとの点検項目に対して、合否が選択された情報とすることができる。前記合否が選択された情報は、現場担当者端末４０で入力される情報である。
【００５５】
（Ｈ）施工データ２３ｈ
前記杭穴及び杭の施工データ２３ｈは、前記掘削管理装置によって施工された杭穴や杭の施工データであり、「支持層の確認」、「掘削深度」、「根固液、杭周固定液の注入量」などの杭の施工で重要な管理項目に関するデータが含まれる。
【００５６】
（Ｉ）アプリケーションプログラム２３ｅ
施工業者端末３０及び現場担当者端末４０からサーバ２０に、アプリケーションプログラム２３ｅをダウンロードする指示が通信ネットワーク５０を介して要求される。
【００５７】
サーバ２０からは、施工業者端末３０及び現場担当者端末４０にアプリケーションプログラム２３ｅを利用するＩＤやパスワードの設定のための認証プログラムが通信ネットワーク５０を介して送信される。
【００５８】
施工業者端末３０及び現場担当者端末４０では、前記認証プログラムが実行され、ＩＤや認証パスワードの入力等の設定処理が行われる。
【００５９】
サーバ２０では前記設定処理が確認され、アプリケーションプログラム２３ｅが施工業者端末３０及び現場担当者端末４０に送信される。
【００６０】
施工業者端末３０及び現場担当者端末４０では、アプリケーションプログラム２３ｅが実行可能な状態となる。
【００６１】
なお、アプリケーションプログラム２３ｅの全部又は一部は、施工業者端末３０又は現場担当者端末４０に予め用意されていてもよい。
【００６２】
４−（２）点検項目データ生成手段２４の機能
【００６３】
現場情報データベース２３ａに前記現場情報が、杭仕様情報データベース２３ｂに前記杭の仕様情報が、杭穴仕様情報データベース２３ｃに前記杭穴の仕様情報が記憶されると、点検項目データ生成手段２４は、それぞれにアクセスし、これらのデータベースから前記現場情報、杭の仕様情報及び杭穴の仕様情報の各データを取得する。
【００６４】
点検項目データ生成手段２４は、取得した前記各データを前記現場情報ごとに関連付けると共に、各施工工程で点検される項目に前記コードを割り振り、点検項目データ２３ｆを生成する処理を行う。
【００６５】
生成された点検項目データ２３ｆは、点検情報データベース２３ｄに記憶される。
【００６６】
４−（３）報告書データ生成手段２５の機能
【００６７】
報告書データ生成手段２５は、サーバ２０が施工業者端末３０から送信された報告書データを生成する要求を受け、点検情報データベース２３ｄから点検項目データ２３ｆを、杭仕様情報データベース２３ｂ及び杭穴仕様情報データベース２３ｃから施工データ２３ｈ及び点検項目確認データ２３ｇを取得し、所定のフォームで構成される報告書データを生成する処理を行う。
【００６８】
５．施工品質管理システム１０における管理機能
【００６９】
施工業者端末３０においてアプリケーションプログラム２３ｅが実行されると、液晶ディスプレイ等の表示装置である表示手段３３に図３図示のような管理画面が表示される。
【００７０】
図３の管理画面では、表示手段３３に、種々の管理機能を選択する管理メニュー選択部６０が表示される。
【００７１】
図３には一例として、管理メニュー選択部６０で、建築物の施工を任された現場担当者の管理機能を選択する現場担当者選択部６０ａが選択され、当該管理機能を表示する画面が表示手段３３に表示されている。
【００７２】
現場担当者の管理機能を表示する画面には、施工現場の拠点を選択する拠点選択部６１、施工現場ごとの現場担当者に関する情報を入力する現場担当者情報入力部６２、拠点選択部６１で選択された拠点における登録された現場担当者の一覧を表示する現場担当者一覧表示部６３が含まれる。
【００７３】
現場担当者一覧表示部６３には一例として、選択された施工現場の拠点、現場担当者の所属、現場担当者が現場担当者端末４０を用いてアプリケーションプログラム２３ｅを実行するのに必要なＩＤ等が表示されている。
【００７４】
５−（１）現場担当者の新規登録
【００７５】
新たに現場担当者を登録する場合、管理メニュー選択部６０で現場担当者選択部６０ａを選択し、現場担当者情報入力部６２を表示させる。
【００７６】
表示された現場担当者情報入力部６２の各欄に所定の情報を入力又は選択する。例えば、拠点選択部６２ａで都道府県名などの拠点を選択し、現場担当者ＩＤ入力部６２ｂで前記ＩＤを入力し、現場担当者パスワード入力部６２ｃで前記現場担当者のアプリケーションプログラム２３ｅを利用するのに必要なパスワードを入力し、現場担当者所属入力部６２ｄで前記現場担当者の所属を入力し、氏名入力部６２ｅで前記現場担当者の氏名を入力する。
【００７７】
これらの情報を入力又は選択後、情報登録部６２ｆを選択して、現場担当者の情報入力処理を完了する。入力された前記現場担当者の情報はサーバ２０に送信され、現場情報データベース２３ａに記憶される。
【００７８】
なお、拠点ごとの現場担当者の一覧を表示させたい場合、拠点選択部６１で表示させたい都道府県名などの拠点を選択する。当該拠点が選択されると、現場情報データベース２３ａから拠点ごとの記憶された現場担当者の情報が施工業者端末３０に送信され、当該情報が現場担当者一覧表示部６３に表示される。
【００７９】
現場担当者の情報は、コンクリート杭など建築物全般の設計時、製造時、出荷時に施工業者端末３０で適宜入力される。
【００８０】
５−（２）登録されている現場担当者の修正、更新等
【００８１】
登録されている現場担当者の情報を修正、更新等する場合、現場担当者一覧表示部６３に表示されている現場担当者の一覧から修正、更新等を行う現場担当者を選択する。
【００８２】
現場担当者を選択後、現場担当者情報入力部６２に選択された現場担当者の情報が表示されるので、上述した入力処理を行い、情報登録部６２ｆを選択して現場担当者の情報入力処理を終了する。
【００８３】
現場担当者の情報の修正、更新等は、コンクリート杭など建築物全般の設計時、製造時、出荷時に施工業者端末３０で適宜入力される。
【００８４】
６．施工品質管理システム１０における現場担当者端末４０の貸出管理機能
【００８５】
図４は、現場担当者へ貸出される現場担当者端末４０の管理機能の一例を表す図である。
【００８６】
管理メニュー選択部６０で、施工業者から現場担当者へ貸し出される現場担当者端末４０の管理機能を選択する現場担当者端末貸出選択部６０ｂが選択され、当該管理機能を表示する画面が表示手段３３に表示されている。
【００８７】
現場担当者端末４０の管理機能を表示する画面には、施工現場の拠点を選択する拠点選択部６４、施工現場ごとに貸し出す現場担当者端末４０に関する情報を入力する現場担当者端末情報入力部６５、拠点選択部６４で選択された拠点における各現場へ貸し出された現場担当者端末４０の一覧を表示する貸出一覧表示部６６が含まれる。
【００８８】
６−（１）現場担当者端末４０の新規貸出登録
【００８９】
新たに貸し出す現場担当者端末４０を登録する場合、表示されている現場担当者端末情報入力部６５の各欄で所定の情報を入力又は選択する。例えば、拠点選択部６５ａで都道府県名などの拠点を選択し、施工年度選択部６５ｂで施工年度を選択し、施工現場選択部６５ｃで現場担当者端末４０を貸し出す現場名を選択し、掘削管理装置選択部６５ｄで、施工現場で使用される前記掘削管理装置の装置番号を選択し、現場担当者端末選択部６５ｅで貸し出す現場担当者端末４０を選択し、現場担当者選択部６５ｆで、使用する現場担当者を入力する等の情報の入力又は選択処理を行う。
【００９０】
これらの情報を入力又は選択後、情報登録部６５ｇを選択して貸し出す現場担当者端末４０の情報入力処理を完了する。入力された前記現場担当者端末４０の情報は管理サーバ２０に送信され、現場情報データベース２３ａに記憶される。
【００９１】
なお、拠点ごとに貸し出す現場担当者端末４０の一覧を表示させたい場合、拠点選択部６４で表示させたい都道府県名などの拠点を選択する。当該拠点が選択されると、現場情報データベース２３ａから拠点ごとの記憶された前記貸し出す現場担当者端末４０の情報が施工業者端末３０に送信され、当該情報が貸出一覧表示部６６に表示される。
【００９２】
現場担当者端末４０貸出に関する情報は、コンクリート杭など建築物全般の設計時、製造時、出荷時に施工業者端末３０で適宜入力される。
【００９３】
６−（２）登録されている現場担当者端末４０の修正、更新等
登録されている前記貸し出す現場担当者端末４０の情報を修正、更新等する場合、貸出一覧表示部６６に表示されている前記貸し出す現場担当者端末４０の一覧から修正、更新等を行う現場担当者端末４０を選択する。
【００９４】
現場担当者端末４０を選択後、現場担当者端末情報入力部６５に選択された現場担当者端末４０に関する情報が表示されるので、上述した入力処理を行い、情報登録部６５ｇを選択して現場担当者端末４０の情報入力処理を終了する。
【００９５】
現場担当者端末４０貸出に関する情報の修正、更新等は、コンクリート杭など建築物全般の設計時、製造時、出荷時に施工業者端末３０で適宜入力される。
【００９６】
７．現場担当者端末による施工管理の一例
【００９７】
図５は、建築物の施工現場において、現場担当者が施工を行う際、貸し出された現場担当者端末４０を使用して施工の管理を行う一例を表した図である。
【００９８】
本実施形態では現場担当者端末４０としてスマートフォンを採用しているが、その他タブレット端末などの機器も採用することができる。
【００９９】
現場担当者端末４０では、上述したようにサーバ２０からアプリケーションプログラム２３ｅがインストールなどされ、実行可能な状態となっている。
【０１００】
現場担当者端末４０でアプリケーションプログラム２３ｅが起動されると、液晶ディスプレイ等の表示装置である表示手段４３に図５（ａ）図示のような認証画面が表示される。
【０１０１】
前記認証画面に表示されている現場担当者ＩＤ入力部６７及び認証パスワード入力部６８に、前記設定処理を行ったＩＤ及びパスワードがそれぞれ入力されると所定の認証処理が行われる。
【０１０２】
前記認証処理が完了すると、点検項目データ２３ｆを呼び出す要求がサーバ２０に送られる。
【０１０３】
サーバ装置２０は前記要求を取得すると、点検情報データベース２３ｄから点検項目データ２３ｆを取得し、これを現場担当者端末４０に送信する。
【０１０４】
現場担当者端末４０の表示手段４３には、図５（ｂ）図示のような撮像設定画面が表示される。
【０１０５】
前記撮像設定画面には、一例として、現場担当者の氏名、施工拠点、施工年度、施工現場の名称、前記施工現場に用いられるコンクリート杭の杭番号の入力を促す杭番号入力部６９、点検項目データ２３ｆの選択を促す点検項目選択部７０、メモ欄、撮影機能切換部７１が表示されている。
【０１０６】
上記６―（１）で説明したように、都道府県名などの拠点、施工年度、現場担当者端末４０を貸し出す現場名、施工現場で使用される前記掘削管理装置の装置番号、貸し出す現場担当者端末４０、使用する現場担当者等の情報が予め現場情報データベース２３ａに記憶されている。
【０１０７】
そこで、前記認証処理が完了すると、現場情報データベース２３ａから前記各情報が抽出されて、サーバ２０から現場担当者端末４０へ送信され、前記撮像設定画面に表示される。
【０１０８】
上記４―（１）（Ｆ）及び４−（２）で説明したように、点検項目データ生成手段２４によって前記現場情報と関連づけられて生成された点検項目データ２３ｆが予め点検情報データベース２３ｄに記憶されている。
【０１０９】
そこで、前記認証処理が完了すると、点検情報データベース２３ｄから点検項目データ２３ｆが抽出されて、サーバ２０から現場担当者端末４０へ送信され、点検項目選択部７０で選択可能な状態となる。
【０１１０】
７−（１）現場担当者端末４０による施工品質管理の方法
【０１１１】
図５（ｂ）図示の撮像設定画面において、杭番号入力部６９に所定の杭番号を入力する。図示の形態では「１２３４５」と入力している（図８）。
【０１１２】
点検項目選択部７０に点検すべき項目を選択する。図示の形態では「杭種、杭径、杭長、品質」を選択している。
【０１１３】
杭番号の入力及び点検項目の選択後、撮像機能切換部７１を選択すると、図示していない内蔵カメラ等の撮像手段４５の操作画面に切り換わり、点検対象を撮像する。図示の形態では撮像する点検対象を以下のコンクリート杭とした。
【０１１４】
（Ａ）図５（ｃ）図示のコンクリート杭
・拠点：東京
・施工年度：２０１２年度
・施工現場の名称：ＡＢＣ
・杭番号：１２３４５
・点検項目：０１「杭種、杭径、杭長、品質」
図５（ｃ）図示の写真データ７２ａは、使用するコンクリート杭の全体の写真データである。
【０１１５】
（Ｂ）図５（ｄ）図示のコンクリート杭
・拠点：東京
・施工年度：２０１２年度
・施工現場の名称：ＡＢＣ
・杭番号：１２３４５
・点検項目：０１「杭種、杭径、杭長、品質」
図５（ｄ）図示の写真データ７２ｂは、図５（ｃ）図示のコンクリート杭の表面に、工場からの出荷時に予め付された杭の製造データ等が表示された部分の写真データである。
【０１１６】
現場担当者は、前記杭番号と一致するコンクリート杭を杭置き場から１本選び施工する。また、通常は、多数のコンクリート杭を接合しながら杭穴に埋設する。
【０１１７】
撮像された図５（ｃ）、（ｄ）図示の写真に係る写真データ７２ａ、７２ｂは、品質項目確認データ２３ｇとしてサーバ２０に送信され、杭穴番号ごとに杭仕様情報データベース２３ｂに記憶される。
【０１１８】
撮像する対象には、前記杭に限られず、杭穴など点検項目データ２３ｆに係る点検対象が含まれる。
【０１１９】
このように、現場担当者は、現場担当者端末４０を用いて施工工程ごとに使用するコンクリート杭や、コンクリート杭を埋設する杭穴の点検項目を確実に確認することができる。
【０１２０】
また、前記コンクリート杭や杭穴を撮像することで前記コンクリート杭や杭穴の品質を担保することができる。
【０１２１】
７−（２）施工業者端末３０による施工品質管理の方法
【０１２２】
図６は、施工業者端末３０において、管理メニュー選択部６０から、現場担当者端末４０から送信された品質項目確認データ２３ｇに係る点検対象の写真データ７２の管理機能を選択する施工現場管理選択部６０ｃが選択され、当該管理機能を表示する画面が表示手段３３に表示されている状態を表す図である。
【０１２３】
写真データ７２の管理機能を表示する画面には、施工現場を選択する施工現場選択部７３、拠点での施工現場ごとの写真データ７２の一覧を選択する写真データ選択部７４、写真データ選択部７４で選択された写真データ７２の一覧を表示する写真データ一覧表示部７５が含まれる。
【０１２４】
拠点での施工現場ごとの写真データ７２の一覧を表示させたい場合、拠点選択部７３ａ、施工年度選択部７３ｂ、施工現場選択部７３ｃの各欄で所定の情報を入力又は選択する。例えば、拠点選択部７３ａで都道府県名などの拠点を選択し、施工年度選択部７３ｂで施工年度を選択し、施工現場選択部７３ｃで現場名を選択する等の情報の入力又は選択処理を行う。
【０１２５】
前記拠点、施工年度、施工現場が選択されると、杭仕様情報データベース２３ｂ及び杭穴仕様情報データベース２３ｃから、点検項目データ２３ｆに関連付けられた写真データ７２が施工業者端末３０に送信され、当該情報が写真データ一覧表示部７５に表示される。
【０１２６】
施工業者が現場担当者端末４０から送信された写真データ７２を確認することで、施工工程ごとに使用するコンクリート杭や、コンクリート杭を埋設する杭穴の品質を担保することができる。
【０１２７】
８．建築物の施工品質管理のフローチャート
【０１２８】
図７は、本実施形態に係る施工品質管理システム１０による建築物の施工品質管理のフローチャートを表す図である。また、表１は、建築物の設計から施工までの工程でサーバ２０に送信される情報の一例を表したものである。
【表１】
2015118435.tif 000003
【０１２９】
８−（１）設計時
【０１３０】
建築物の設計時において、上述したアプリケーションプログラム２３ｅがインストールされた施工業者端末３０では、上記５で説明したように、図２（ａ）図示の現場の名称・住所、現場担当者の氏名、所属、施工拠点、施工年度等の現場情報が入力される（Ｓ１０１、表１）。
【０１３１】
また、図２（ｂ）図示の杭番号、杭径、杭長、種類、継手、補強バンド、コンクリート強度等を含む杭仕様情報、図２（ｃ）図示の杭穴番号、杭穴径、杭穴深度、拡径部形状等の杭穴仕様情報が入力される（Ｓ１０１、表１）。
【０１３２】
入力された前記現場情報、杭仕様情報、杭穴仕様情報はサーバ２０へ送信され、現場情報データベース２３ａ、杭仕様情報データベース２３ｂ、杭穴仕様情報データベース２３ｃにそれぞれ記憶される（Ｓ１０２）。
【０１３３】
８−（２）製造時
【０１３４】
建築物を構成するコンクリート杭などの構成部材を製造する製造時には、設計時における設計データに沿って製造される。前記コンクリート杭を例にして説明すると、杭仕様情報データベース２３ｂに記憶されている前記杭仕様情報を基に杭が製造される。当該製造された杭の製造データは、施工業者端末３０で入力される（Ｓ１０３）。
【０１３５】
入力された前記杭の製造データはサーバ２０へ送信され、現場情報データベース２３ａ、杭仕様情報データベース２３ｂに記憶される（Ｓ１０４）。その際、前記杭の製造データは、当該データに係る前記現場情報及び前記杭仕様情報に付加される（表１）。
【０１３６】
サーバ２０では、前記杭の製造データが現場情報データベース２３ａ、杭仕様情報データベース２３ｂに記憶されると、点検項目データ生成手段２４は、現場情報データベース２３ａ、杭仕様情報データベース２３ｂ、杭穴仕様情報データベース２３ｃそれぞれにアクセスし、Ｓ１０２で記憶された杭穴仕様情報、Ｓ１０４で記憶された前記杭の製造データが付加された前記現場情報、前記杭仕様情報を取得して、図２（ｅ）図示の点検項目データ２３ｆを生成する処理を行う（Ｓ１０５）。
【０１３７】
生成された点検項目データ２３ｆは、点検情報データベース２３ｄに登録される。
【０１３８】
８−（３）製造されたコンクリート杭など構成部材の施工現場への出荷時
【０１３９】
前記コンクリート杭などの構成部材が製造され、当該部材が該当する施工現場へと出荷される出荷時には、施工業者端末３０で出荷先、出荷日、出荷検査等の出荷に関する出荷データが入力される（Ｓ１０６）。
【０１４０】
入力された前記出荷データは、サーバ２０へ送信され、現場情報データベース２３ａ、杭仕様情報データベース２３ｂに記憶される（Ｓ１０７）。その際、前記出荷データは、当該データに係る前記現場情報及び前記杭仕様情報に付加される（表１）。
【０１４１】
８−（４）製造されたコンクリート杭など構成部材の施工現場への入荷時
【０１４２】
前記構成部材が該当する施工現場へ搬入される搬入時には、アプリケーションプログラム２３ｅがインストールされた現場担当者端末４０で搬入現場、搬入日、受け入れ検査等の搬入に関する搬入データが入力される
具体的には、上記７で説明したように、現場担当者端末４０で前記認証処理が完了すると、点検項目データ２３ｆを呼び出す要求がサーバ２０に送られる（Ｓ１０８）。
【０１４３】
サーバ装置２０は前記要求を取得すると、点検情報データベース２３ｄから点検項目データ２３ｆを取得し、これを現場担当者端末４０に送信する（Ｓ１０９）。
【０１４４】
現場担当者端末４０の表示手段４３には、図５（ｂ）図示のような現場担当者の氏名、施工拠点、施工年度、施工現場の名称、前記施工現場に用いられるコンクリート杭の杭番号の入力を促す杭番号入力部６９、点検項目データ２３ｆの選択を促す点検項目選択部７０、メモ欄、撮影機能切換部７１が表示される。
【０１４５】
上記７.（１）で説明したように、撮像手段４５で前記構成部材を撮像し、写真データ７２を取得する。
【０１４６】
取得した写真データ７２は、搬入データとしてサーバ２０へ送信され（Ｓ１１０）、現場情報データベース２３ａ、杭仕様情報データベース２３ｂに記憶される（Ｓ１１１）。その際、取得した前記搬入データとしての写真データ７２は、当該データに係る現場情報及び杭仕様情報に付加される（表１）。
【０１４７】
８−（５）施工時
【０１４８】
搬入された前記構成部材を用いて該当する施工工程での施工を行う施工時には、前記掘削管理装置で点検項目データ２３ｆに沿って行われた施工データ２３ｈが入力される。この施工データは、施工業者端末３０で入力される。また、現場担当者端末４０で点検項目データ２３ｆを確認した点検項目確認データ２３ｇが入力される。
【０１４９】
（Ａ）施工データの入力
前記掘削管理装置には、通信ネットワーク５０を介してサーバ２０と通信可能なパーソナルコンピュータなどの端末装置が配備されている。
【０１５０】
図８は、施工現場の杭穴の配置の概念図である。前記端末装置は、図８図示の杭穴の配置に係る杭穴の番号、杭穴径、杭穴深度、拡径部形状等の杭穴の仕様情報を杭穴仕様情報データベース２３ｃから取得する。
【０１５１】
前記掘削管理装置のオペレータは、前記端末装置が取得した前記杭穴の仕様情報を基に前記掘削管理装置を使用して杭穴を構築する。その際、施工した杭穴の番号、杭穴径、杭穴深度、拡径部形状等の杭穴の施工データ２３ｈが施工業者端末３０を介してサーバ２０に送信される。
【０１５２】
送信された前記杭穴の施工データ２３ｈは、杭穴仕様情報データベース２３ｃに記憶される。その際、杭穴の施工データ２３ｈは、当該データに係る前記杭穴仕様情報に付加される（表１）。
【０１５３】
前記施工した杭穴にコンクリート杭を埋設する工程においても上記と同様の処理が行われる。
【０１５４】
前記端末装置は、図８図示の杭穴の配置に係る杭穴の番号ごとに使用するコンクリート杭の番号、杭径、杭長、種類、継手、補強バンド、杭強度等の杭の仕様情報を杭仕様情報データベース２３ｂから取得する。
【０１５５】
前記掘削管理装置のオペレータは、前記端末装置が取得した前記杭の仕様情報を基に、杭穴番号ごとに使用するコンクリート杭を選択し、前記掘削管理装置を使用して前記施工された杭穴に前記コンクリート杭を埋設する。その際、埋設したコンクリート杭の番号、杭径、杭長、種類、継手、補強バンド、杭強度等の杭の施工データ２３ｈが施工業者端末３０を介してサーバ２０に送信される。
【０１５６】
送信された前記杭の施工データ２３ｈは、杭仕様情報データベース２３ｂに記憶される。その際、前記杭の施工データ２３ｈは、当該データに係る前記杭仕様情報に付加される（表１）。
【０１５７】
前記杭穴及び杭の施工データ２３ｈは前記掘削管理装置によって処理された「支持層の確認」、「掘削深度」、「根固液、杭周固定液の注入量」などの杭の施工で重要な管理項目に関するデータが含まれる。
【０１５８】
（Ｂ）点検項目確認データの入力
上記７で説明したように、現場担当者端末４０で前記認証処理が完了すると、点検項目データ２３ｆを呼び出す要求がサーバ２０に送られる（Ｓ１１２）。
【０１５９】
サーバ装置２０は前記要求を取得すると、点検情報データベース２３ｄから点検項目データ２３ｆを取得し、これを現場担当者端末４０に送信する（Ｓ１１３）。
【０１６０】
現場担当者端末４０の表示手段４３には、図５（ｂ）図示のような現場担当者の氏名、施工拠点、施工年度、施工現場の名称、前記施工現場に用いられるコンクリート杭の杭番号の入力を促す杭番号入力部６９、点検項目データ２３ｆの選択を促す点検項目選択部７０、メモ欄、撮影機能切換部７１が表示される。
【０１６１】
現場担当者は、現場担当者端末４０が取得した点検項目データ２３ｆを用いて、構成部材の確認、施行箇所の確認等、点検項目データ２３ｆに係る点検項目を杭穴番号ごとにチェックする（図８）。
【０１６２】
例えば、図８図示の杭穴番号「１２３４５」に係る杭穴の杭穴径、杭穴深度、拡径部形状等の杭穴の仕様情報及び杭穴番号「１２３４５」に埋設する杭番号「１２３４５」に係るコンクリート杭の杭径、杭長、種類、継手、補強バンド、コンクリート強度等の杭の仕様情報をチェックする。
【０１６３】
前記点検項目をチェックする点検項目確認時では、現場担当者端末４０で図２（ｅ）図示のようなコードごとの点検項目に対して、合否を選択する等の判定データが入力される。また、上記７−（１）で説明したように、撮像手段４５で前記点検項目に係る杭穴、コンクリート杭を撮像し、写真データ７２を取得する。
【０１６４】
取得した前記判定データ及び写真データ７２は、点検項目確認データ２３ｇとしてサーバ２０へ送信され（Ｓ１１４）、杭仕様情報データベース２３ｂ、杭穴仕様情報データベース２３ｃに記憶される（Ｓ１１５）。その際、点検項目確認データ２３ｇは、当該データに係る杭穴情報及び杭仕様情報に付加される（表１）。
【０１６５】
８−（６）施工終了後
【０１６６】
施工終了後、施工業者端末３０で施工現場ごとの施工完了の報告書を作成する要求がサーバ２０に送られる（Ｓ１１６）。
【０１６７】
サーバ装置２０が前記要求を取得すると、報告書データ生成手段２５は、点検情報データベース２３ｄから点検項目データ２３ｆを、杭仕様情報データベース２３ｂ及び杭穴仕様情報データベース２３ｃから施工データ２３ｈ及び点検項目確認データ２３ｇを取得し、所定のフォームで構成される報告書データを生成する（Ｓ１１７）。生成された前記報告書データは施工業者端末３０に送信される（Ｓ１１８）。
【０１６８】
施工業者端末３０では、出力手段３５によって送信された前記報告書データを報告書として出力する処理が行われる（Ｓ１１９）。
【０１６９】
前記報告書には、表１に表した施工工程ごとの杭穴、杭の仕様や施工が前記点検項目データ２３ｆに適合しているかが確認されたが記載されている。
【０１７０】
したがって、設計時に入力された現場情報、杭穴仕様情報、杭仕様情報を基に、製造時、出荷時、搬入時、施工時の各段階における杭穴、杭の仕様や施工の点検機能が発揮されるので、施工ミスを効果的に減少させることができ、施工品質を向上させることができる。
【０１７１】
また、出荷時、搬入時、施工時の各段階において、杭穴、杭に関する写真を撮ることで、撮像対象が施工品質点検項目の対象であることをも含めた施工品質の点検・報告を簡便に行うことができる。
【０１７２】
以上、添付図面を参照して本発明の好ましい実施形態を説明したが、本発明はかかる実施形態に限定されるものではなく、特許請求の範囲の記載から把握される技術的範囲において種々の形態に変更可能である。
【符号の説明】
【０１７３】
１０  施工品質管理システム
２０  サーバ
２１  制御手段
２２  情報送受信手段
２３  記憶手段
２３ａ  現場情報データベース
２３ｂ  杭仕様情報データベース
２３ｃ  杭穴仕様情報データベース
２３ｄ  点検情報データベース
２３ｅ  アプリケーションプログラム
２３ｆ  点検項目データ
２３ｇ  点検項目確認データ
２３ｈ  施工データ
２４  点検項目データ生成手段
２５  報告書データ生成手段
３０  施工業者端末
３１  制御手段
３２  情報送受信手段
３３  表示手段
３４  入力手段
３５  出力手段
３６  記憶手段
４０  現場担当者端末
４１  制御手段
４２  情報送受信手段
４３  表示手段
４４  入力手段
４５  撮像手段
４６  記憶手段
５０  通信ネットワーク
６０  管理メニュー選択部
６０ａ  現場担当者選択部
６０ｂ  現場担当者端末貸出選択部
６０ｃ  施工現場管理選択部
６１  拠点選択部
６２  現場担当者情報入力部
６２ａ  拠点選択部
６２ｂ  現場担当者ＩＤ入力部
６２ｃ  現場担当者パスワード入力部
６２ｄ  現場担当者所属入力部
６２ｅ  氏名入力部
６２ｆ  情報登録部
６３  現場担当者一覧表示部
６４  拠点選択部
６５  現場担当者端末貸出情報入力部
６５ａ  拠点選択部
６５ｂ  施工年度選択部
６５ｃ  施工現場選択部
６５ｄ  掘削管理装置選択部
６５ｅ  現場担当者端末選択部
６５ｆ  現場担当者選択部
６５ｇ  情報登録部
６６  貸出一覧表示部
６７  現場担当者ＩＤ入力部
６８  認証パスワード入力部
６９  杭番号入力部
７０  点検項目選択部
７１  撮像機能切換部
７２  写真データ
７３  施工現場選択部
７３ａ  拠点選択部
７３ｂ  施工年度選択部
７３ｃ  施工現場選択部
７４  写真データ選択部
７５  写真データ一覧表示部
【図２】
2015118435.tif 000004
【図７】
2015118435.tif 000005
【図８】
2015118435.tif 000006
【図１】
2015118435.tif 000007
【図３】
2015118435.tif 000008
【図４】
2015118435.tif 000009
【図５】
2015118435.tif 000010
【図６】
2015118435.tif 000011